(57)【要約】【課題】本体高さを高くする事無く、漏洩磁界を吸収できる誘導加熱調理器を提供する。【解決手段】上下に分割され外郭を形成するケース上２とケース下３と、前記ケース上２に設けられ被加熱物が載置されるトッププレート１と、トッププレート１の下方に配された加熱コイル５と、加熱コイル５を保持するコイルベース６と、加熱コイル５の外周にリング状に配されたシールドリング１５と、加熱コイル５に電源を供給するインバータ部の基板（図示せず）と、基板上の部品や加熱コイル５を冷却するファンモータ１０と、ケース下３に設けられた吸気口１３と、ケース下３及び／またはケース上２に設けた排気口（図示せず）とを備え、ファンモータ１０内の巻線１６の上方をシールドリング１５の一部で覆うもので、加熱コイル５、巻線１６の両方から発生する漏洩磁界を同一部品で吸収することができるので、本体を高くする事無く漏洩磁界を低減させることができる。【選択図】図４
2006120338.tif 000002
【特許請求の範囲】
【請求項１】
上下に分割され外郭を形成するケース上とケース下と、前記ケース上に設けられ被加熱物が載置されるトッププレートと、前記トッププレート下方に配された加熱コイルと、前記加熱コイルを保持するコイルベースと、前記加熱コイルの外周にリング状に配されたシールドリングと、前記加熱コイルに電流を供給する基板と、前記基板上の部品や前記加熱コイルを冷却するファンモータと、前記ケース下に設けられた吸気口と、前記ケース下及び／またはケース上に設けた排気口とを備え、前記ファンモータ内の巻線の上方を前記シールドリングの一部で覆うようにした誘導加熱調理器。
【請求項２】
シールドリングの、ファンモータ内の巻線の上方を覆う部分は、他の部分に比べて断面が扁平となっている請求項１に記載の誘導加熱調理器。
【請求項３】
シールドリングとファンモータ内の巻線の間に、コイルベースを介在させないようにした請求項１又は２に記載の誘導加熱調理器。
【請求項４】
シールドリングの、ファンモータ内の巻線の上方を覆う部分に少なくとも１つの貫通穴を設けた請求項１〜３のいずれか１項に記載の誘導加熱調理器。
【発明の詳細な説明】
【技術分野】
【０００１】
本発明は、加熱コイルの電磁誘導によりトッププレートの上に置かれた磁性の鍋を加熱調理する誘導加熱調理器に関するものである。
【背景技術】
【０００２】
従来、この種の誘導加熱調理器としては、加熱コイルにインバータ回路より高周波電流を流して高周波磁界（以下、磁界とする）を発生させ、その磁界によりトッププレート上に載せられた磁性の鍋底に渦電流を発生させ、その電気抵抗により鍋底が発熱するようになっている（例えば、特許文献１参照）。
【０００３】
加熱コイルから発生する磁界の多くは鍋に吸収され、熱に変わるが、鍋周囲から漏れる磁界もある（漏洩磁界）。この漏洩磁界により、付近の電化製品に影響を及ぼす恐れがある。
【０００４】
また最近では、人体に影響があることを懸念する報告があり、各社とも漏洩磁界の低減に取り組みつつある。
【０００５】
図７は、上記特許文献１に記載された誘導加熱調理器の構成を示す断面図である。
【０００６】
２０は、鍋などの被加熱物２１を載せるトッププレートで、その下方には加熱コイル支持台２２で支持された加熱コイル２３が設けられている。そして漏洩磁界低減の取り組みのひとつとして、加熱コイル２３からの漏洩磁界を少なくするために、加熱コイル２３外周に単一の断面形状をしたシールドリング２４を設けて、加熱コイル２３の横方向からの磁束を吸収させている。また、加熱コイル２３の下方には、加熱コイル２３などを制御する制御基板２５や冷却用のファンモータ（図示せず）等が重なるように配置されている。
【特許文献１】特開平１０−３０２９５３号公報（図１）
【発明の開示】
【発明が解決しようとする課題】
【０００７】
漏洩磁束の発生源としては、加熱コイル２３に加え、冷却用のファンモータのモータ巻き線も有るが、上記従来の誘導加熱調理器の構成では、加熱コイル２３の下方にファンモータが重なるように配されているので、ファンモータ専用のシールド部品を別途追加すると、その分加熱コイルの取り付け位置が上方に移動し、結果的に誘導加熱調理器全体が高くなり、大型化し、特に、卓上用の１口の小型の誘導加熱調理器においては、非常に使い勝手が悪くなるという課題を有していた。
【０００８】
本発明は、上記従来の課題を解決するもので、調理器本体の高さを低くすると共に、漏洩磁界を確実に低減した誘導加熱調理器を提供する事を目的とする。
【課題を解決するための手段】
【０００９】
前記従来の課題を解決するために、本発明の誘導加熱調理器は、上下に分割され外郭を形成するケース上とケース下と、前記ケース上に設けられ被加熱物が載置されるトッププレートと、前記トッププレート下方に配された加熱コイルと、前記加熱コイルを保持するコイルベースと、前記加熱コイルの外周にリング状に配されたシールドリングと、前記加熱コイルに電流を供給する基板と、前記基板上の部品や前記加熱コイルを冷却するファンモータと、前記ケース下に設けられた吸気口と、前記ケース下及び／またはケース上に設けた排気口とを備え、前記ファンモータ内の巻線の上方を前記シールドリングの一部で覆うようにしたもので、加熱コイルから発生する漏洩磁界を吸収するだけでなく、回転するファンモータの巻線から発生する漏洩磁界も同時に同一部品で吸収することができ、調理器全体としてより広範囲の磁束を吸収し、漏洩磁界を低減させると共に、調理器全体の高さを抑えた誘導加熱調理器を提供することができる。
【発明の効果】
【００１０】
本発明の誘導加熱調理器は、加熱コイルから発生する漏洩磁界を吸収する能力を低下させることなく、ファンモータから発生する漏洩磁界も同時に吸収でき、かつ、調理器全体の高さを抑えた誘導加熱調理器を提供することができる。
【発明を実施するための最良の形態】
【００１１】
第１の発明は、上下に分割され外郭を形成するケース上とケース下と、前記ケース上に設けられ被加熱物が載置されるトッププレートと、前記トッププレート下方に配された加熱コイルと、前記加熱コイルを保持するコイルベースと、前記加熱コイルの外周にリング状に配されたシールドリングと、前記加熱コイルに電流を供給する基板と、前記基板上の部品や前記加熱コイルを冷却するファンモータと、前記ケース下に設けられた吸気口と、前記ケース下及び／またはケース上に設けた排気口とを備え、前記ファンモータ内の巻線の上方を前記シールドリングの一部で覆うようにしたもので、加熱コイルから発生する漏洩磁界を吸収するだけでなく、回転するファンモータの巻線から発生する漏洩磁界も同時に同一部品で吸収することができ、調理器全体としてより広範囲の磁束を吸収し、漏洩磁界を低減させると共に、調理器全体の高さを抑えた誘導加熱調理器を提供することができる。
【００１２】
第２の発明は、特に、第１の発明のシールドリングの、ファンモータ内の巻線の上方を覆う部分は、他の部分に比べて断面が扁平となっているもので、シールドリングの断面積、表面積を大きく減らすことなく、加熱コイルの設置高さを下げることができ、漏洩磁界の打ち消し効果や加熱コイルの冷却性能を落とすことなく調理器全体の高さを低く抑えることができる。
【００１３】
第３の発明は、特に、第１又は第２の発明のシールドリングとファンモータ内の巻線の間に、コイルベースを介在させないようにしたもので、シールドリングは熱伝導も良好であるアルミや銅を使用するため、加熱コイルを載せているコイルベースの熱を伝導させ、ファンモータの直上で冷却させることができ、コイルベースの下に設置されている基板上の部品の温度上昇を抑えることができ、ひいては器体内部全体の温度上昇を抑えることができる。
【００１４】
第４の発明は、特に、第１〜３のいずれか１つの発明のシールドリングの、ファンモータ内の巻線の上方を覆う部分に少なくとも１つの貫通穴を設けたもので、ファンモータの直上にある障害物により、加熱コイル表面への風量が落ちる影響を少なくすることができ、加熱コイルの冷却を冷却風による表面側からと、熱伝導による裏側からの両方から行うことができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における誘導加熱調理器の外観斜視図、図２は、同誘導加熱調理器の内部構成を示す平面図、図３は、同誘導加熱調理器のシールドリング、加熱コイル及びコイルベースの斜視図、図４は、同誘導加熱調理器の部分断面図である。
【００１７】
図１において、誘導加熱調理器の本体１８の外郭は、ケース上２とケース下３が上下に合わさって形成され、ケース上２の上には耐熱強化ガラスやセラミックスなどからなり、磁性の鍋などの被加熱物が載置されるトッププレート１が接着されている。図中のトッププレート１は四角形の平面であるが、これは丸型のものや、溝つきのものであっても特に支障はない。また、ケース上２の前部でトッププレート１より低い面に液晶の表示窓を備えた操作部４が設けられている。
【００１８】
図２は、ケース上２を取り外した状態を上から見たもので、ケース下３のほぼ中央に加熱コイル５が設けられ、加熱コイル５の下にはインバータ部の基板７が置かれ、前方には操作部の基板９が、右後方には電源部の基板８が置かれている。また、加熱コイル５の左前方にはファンモータ１０が設けられ、インバータ部の基板７に取り付けられている発熱部品を固定したヒートシンク（図示せず）やその他基板上の部品や加熱コイル５を冷却するための冷却風を送り込むようになっている。
【００１９】
そのため、ケース下３のファンモータ１０の下方に円形のかご型の吸気口１３（図４参照）があり、この吸気口１３から離れたケース下３の側面および底面に排気口１２が設けられている。ファンモータ１０の回転方向は、本体１８の上方から見て時計回りとなっていて、吹き出し方向に徐々に半径が大きくなるようなＲでつながっているケーシング（図示せず）を構成したリブ（図示せず）がケース下３、および一部ケース上２に設けられている。
【００２０】
このリブにより風向きを整流して、風速の速いところが、インバータ部の基板７上の最も発熱量の多いヒートシンクに向けられている。また、風は上向きにも吹き出しており、この方向の風は、コイルベース６、加熱コイル５を冷却して、排気口１２に向かって流れている。
【００２１】
加熱コイル５は、素線を束ねたより線を円盤状に巻いて構成していて、フェライト（図示せず）を放射状に配置した絶縁物で構成されたコイルベース６に載せられ、コイルホルダ１１にて挟まれて固定されている。加熱コイル５の外周には、ある一定距離だけ離してアルミや銅などの誘導加熱では発熱しにくい導電体で作られているシールドリング１５が加熱コイル５の表面より下になるように設けられている。
【００２２】
加熱コイル５とトッププレート１の間には温度を検知するセンサ１４が設けられている。センサ１４はそれぞれスプリング（図示せず）を介してコイルベース６に保持されていて、トッププレート１の裏側に絶えず接するように構成されている。複数のセンサ１４の設置が可能であるなら、ひとつは加熱コイル５のほぼ中心に、その他は加熱コイル５の間および加熱コイル５の外側に設けることにより、より広い範囲でトッププレート１の温度を検知することができ、加熱コイル５の半径方向の磁束密度による発熱温度の差や、様々な大きさの鍋、鍋を置く位置、鍋底の反り等による鍋底温度とトッププレート温度との誤差を少なくすることができる。
【００２３】
また、加熱コイル５はコイルベース６の上に載せられて、コイルホルダ１１で挟み込まれている。加熱コイル５とコイルベース６内のフェライトとの距離により、コイルのリアクタンスが大きく変わり、加熱時の熱効率にバラツキが大きくなるため、距離を安定させるためにも挟み込む構成が有利となる。
【００２４】
図３に示すように、シールドリング１５の形状は、ほぼ同一の断面形状をもつリング状であるが、ファンモータ１０内の巻線１６の上方に位置する部分（図中では左手前方向）は、他の部分より扁平となっている。この部分は扁平となっているが、断面積や、表面積においてはその他の部分より極端に小さくなることはなく、ほぼ同等、もしくはそれ以上となっていることが望ましい。
【００２５】
図４において、ファンモータ１０の内部には、インペラ（羽）１０ａを構成している部品の内周には複数の磁石１０ｂが取り付けてあり、それと対向する位置に巻線１６に流れる電流を制御して次々と極を変化させることのできる電磁石１０ｃが取り付けられており、インペラ１０ａが連続して高速で回転することができる。このファンモータ１０内の巻線１６の上方を、ある距離だけ離してシールドリング１５の扁平部１５ａが覆うように、シールドリング１５を形成し、固定する。
【００２６】
以上のように構成された誘導加熱調理器において、以下その動作、作用を説明する。
【００２７】
インバータ部の基板７から高周波電流が加熱コイル５に流され、磁界が発生する。この磁界により、トッププレート１の上に載せられた磁性体の鍋（図示せず）の底に渦電流が発生し、その電流に対する電気抵抗により、鍋自体が発熱する。高周波電流の流れる加熱コイル５の周りには、内側から外側まで一様に磁界が発生しているが、加熱コイル５を保持しているコイルベース６にはフェライトが放射状に配置され、磁束を反発させることにより加熱コイル５上方（トッププレート１側）の磁束密度を増やして、鍋が受ける磁界を増やしている。
【００２８】
加熱コイル５の径より鍋の径のほうが大きい場合は、磁束のほとんどが鍋に吸収され、漏洩磁界は少なくなるが、鍋が小さくなるにつれ、加熱コイル５外周から発生する磁界が鍋に吸収されずに、鍋より外側に漏れ出していく。この様な加熱コイル５の横方向から漏れ出す磁界に対して、加熱コイル５の外周にアルミ等の導電体で作られたシールドリング１５を設けると、鍋の外方向に出る磁束を吸収することができる。
【００２９】
磁界を発生するものは、加熱コイル５だけではなく、インバータの冷却に必要なファンモータ１０内の巻線１６からも発生している。この巻線１６から発生する磁束を吸収させるために、加熱コイル５外周に設けられたシールドリング１５をファンモータ１０の巻線１６の上方まで延設し、これにより巻線１６から発生する磁束を吸収させる。
【００３０】
磁束を効率よく吸収させるためには、シールドリング１５の厚さを増して、断面積と表面積の増加を図る方法が有効的である。このため、ほぼ正方形に近い断面をもったシールドリングが効果的であるが、ファンモータ１０の上方部分だけの形状は扁平とし、断面積を確保することにより、磁束吸収の性能を落とすことなく、加熱コイル５の取り付け高さを低くすることができる。これにより、本体１８全体の高さを低くすることができる。
【００３１】
また、同じ高さの本体１８において、ファンモータ１０の上方に薄い扁平部１５ａを設けることにより、その分ファンモータ１０のインペラ１０ａの厚さを増やすことができるため、圧力、風量を増やすことができ、本体１８内部の空間が狭い卓上型の誘導加熱調理器においても、冷却風を強制的に送ることができ、より高さを抑えたコンパクトな誘導加熱調理器を提供することができる。
【００３２】
（実施の形態２）
図５は、本発明の第２の実施の形態における誘導加熱調理器の部分断面図、図６は、同誘導加熱調理器のシールドリング、加熱コイル及びコイルベースの斜視図である。
【００３３】
本実施の形態は、図５、６に示すように、ファンモータ１０内部の巻線１６の上方とシールドリング１５の扁平部１５ａの間に、コイルベース６を介在させず、扁平部１５ａを丸出しにし、かつ扁平部１５ａに貫通穴１５ｂを設けたもので、他の部分の構成は、上記第１の実施の形態と同一である。
【００３４】
ファンモータ１０にはプロペラ型のインペラ１０ａが取り付けられており、風の吹き出す方向は下から上向きとなっている。このため、加熱コイル５の表面を冷却するために必要な冷却風は、上記第１の実施の形態では、コイルベース６に当たって横方向に曲げられ、これがケース上２とケース下３のリブで構成されたケーシングに沿って流れていき、加熱コイル５の表面側にも送り込まれていくが、本実施の形態では、巻線１６の上方にコイルベースがなく、又シールドリング１５の扁平部１５ａに貫通穴１５ｂがあるため、冷却風が、矢印で示されるように加熱コイル５の表面へスムースに流れ、加熱コイル５を効率よく冷却することができる。
【００３５】
また、ファンモータ１０の直上の障害物が小さくなるので、通気抵抗が小さくなり、ファンモータ１０の負荷低減や、騒音の低下にもつながる。
【００３６】
また、シールドリング１５の材料に使われるアルミや銅は熱伝導性が優れており、シールドリング１５を保持しているコイルベース６、ひいては加熱コイル５の熱を伝えやすいので、ファンモータ１０の排気側直上で、シールドリング１５の扁平部１５ａの風の当たる表面積が広くなっている部分まで加熱コイル５の熱を伝導させ、この部分で効率よく冷却することができる。そのため、風の届きにくい風下側（図では右後方）の加熱コイル５やコイルベース６の温度も低くすることができ、コイルベース６のすぐ真下にあるインバータ部の基板７上の部品への熱伝達量を抑えることもでき、本体１８からの排気温度低減にもつながる。
【産業上の利用可能性】
【００３７】
以上のように、本発明にかかる誘導加熱調理器は、ひとつのシールドリングにより２つの磁束発生源からの漏洩磁界を低減することができ、しかも本体の高さを低くできるので、卓上型や組込み型の薄形タイプの誘導加熱調理器全般に適用することができる。
【図面の簡単な説明】
【００３８】
【図１】本発明の実施の形態１における誘導加熱調理器の外観図
【図２】同誘導加熱調理器の内部構成を示す平面図
【図３】同誘導加熱調理器のシールドリング、加熱コイル及びコイルベースの斜視図
【図４】同誘導加熱調理器の部分断面図
【図５】本発明の実施の形態２における誘導加熱調理器の部分断面図
【図６】同誘導加熱調理器のシールドリング、加熱コイル及びコイルベースの斜視図
【図７】従来の誘導加熱調理器の断面図
【符号の説明】
【００３９】
１  トッププレート
２  ケース上
３  ケース下
４  操作部
５  加熱コイル
６  コイルベース
７、８  基板
１０  ファンモータ
１２  排気口
１３  吸気口
１５  シールドリング
１６  巻線
【図１】
2006120338.tif 000003
【図２】
2006120338.tif 000004
【図３】
2006120338.tif 000005
【図４】
2006120338.tif 000006
【図５】
2006120338.tif 000007
【図６】
2006120338.tif 000008
【図７】
2006120338.tif 000009